【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
機器本体の開口部を開閉する蓋が設けられた機器における前記機器本体および前記蓋の一方側に設けられたロック部材を備え、当該ロック部材は前記機器本体および前記蓋の他方側に設けられた被係合部に係合して前記蓋を閉状態にロックする蓋ロック装置であって、
前記ロック部材を前記被係合部に係合する位置まで前進させるとともに、前記ロック部材を前記被係合部との係合が解除される位置まで後退させる駆動部と、
前記ロック部材の前記被係合部に対する係合が完了した際にロック完了信号を発生可能な状態となる検出スイッチと、
前記蓋が開状態にある間、前記ロック部材に形成した被干渉部に対して当該ロック部材の前進方向前側に位置する干渉部を備えたストッパ部材と、
を有し、
当該ストッパ部材は、前記蓋が開状態から閉状態に移行する際、前記被係合部と前記ロック部材とが係合可能な位置に到達するまでは前記被干渉部の前記前進方向前側に前記干渉部が位置する前進阻止位置にあって、前記被係合部と前記ロック部材とが係合可能な位置に到達したときに前記他方側によって直接あるいは間接的に押圧されて前記干渉部が前記被干渉部の前記前進方向前側から退避した前進許容位置に変位することを特徴とする蓋ロック装置。
【請求項２】
前記ストッパ部材と前記ロック部材との間には、前記ロック部材の進退方向に沿って前記被干渉部と前記干渉部とによる干渉個所が複数設けられていることを特徴とする請求項１に記載の蓋ロック装置。
【請求項３】
前記複数の干渉個所には、前記蓋が開状態から閉状態に移行する際、前記他方側と干渉しない位置に前記ロック部材を停止させておく第１干渉個所と、前記ロック部材が前記被係合部に係合可能な位置まで前進しても前記ロック完了信号が発生しない状態で前記ロック部材を停止させておく第２干渉個所と、が含まれていることを特徴とする請求項２に記載の蓋ロック装置。
【請求項４】
前記ロック部材は、該ロック部材の進退方向に延在する延在部を備え、
当該延在部には、前記進退方向に沿って前記被干渉部が複数個所に設けられていることを特徴とする請求項２に記載の蓋ロック装置。
【請求項５】
前記干渉部および前記被干渉部は各々、前記ストッパ部材および前記ロック部材のうちの一方から他方に向かって突出した突部であって、
前記干渉部および前記被干渉部において前記ストッパ部材が前記ロック部材の前進を阻止する際に当接し合う面と反対側は、前記ロック部材が後退した際に前記被干渉部が前記干渉部を乗り越え可能とするテーパー面になっていることを特徴とする請求項４に記載の蓋ロック装置。
【請求項６】
前記ストッパ部材は、前記他方側によって押圧された際、前記ロック部材の進退方向と交差する方向に延在する軸線周りに回転することを特徴とする請求項４に記載の蓋ロック装置。
【請求項７】
前記干渉部および前記被干渉部は各々、前記ストッパ部材および前記ロック部材のうちの一方から他方に向かって突出した突部であって、
前記干渉部および前記被干渉部において前記ストッパ部材が前記ロック部材の前進を阻止する際に当接し合う面と反対側は、前記ロック部材が後退した際に前記被干渉部が前記干渉部を乗り越え可能とするテーパー面になっていることを特徴とする請求項１に記載の蓋ロック装置。
【請求項８】
前記ストッパ部材は、前記他方側によって押圧された際、前記ロック部材の進退方向と交差する方向に延在する軸線周りに回転することを特徴とする請求項１に記載の蓋ロック装置。
【請求項９】
前記駆動部は、モータ部と、該モータ部によって回転される歯車列と、該歯車列を介して回転駆動される回転部材と、該回転部材において当該回転部材の回転中心からずれた位置に設けられたクランクピンと、該クランクピンが係合するクランク溝を備え、前記回転部材の回転を前記ロック部材が進退動作を行うための往復運動に変換するスライダと、を備え、
前記スライダは、前記ロック部材の一部として前記ロック部材と一体に形成されており、
前記ロック部材は、前記スライダを介して前記クランクピンにより直接進退動作されることを特徴とする請求項１に記載の蓋ロック装置。
【請求項１０】
前記ロック部材、前記駆動部、前記検出スイッチ、及び前記ストッパ部材は、ケース内に収納されており、前記スライダによって前記検出スイッチが動作されることを特徴とする請求項９に記載の蓋ロック装置。
【請求項１１】
前記ストッパ部材と前記ロック部材との間には、前記ロック部材の進退方向に沿って前記被干渉部と前記干渉部とによる干渉個所が複数設けられ、
前記複数の干渉個所には、前記蓋が開状態から閉状態に移行する際、前記他方側と干渉しない位置に前記ロック部材を停止させておく第１干渉個所と、前記第１干渉個所による前記ロック部材の停止位置と前記スライダによって前記検出スイッチが動作される位置との間に前記ロック部材を停止させる第２干渉個所と、が含まれていることを特徴とする請求項１０に記載の蓋ロック装置。
【請求項１２】
前記他方側と前記ストッパ部材との間に介在して、前記蓋が開状態から閉状態に移行する際、前記他方側による押圧を前記ストッパ部材に伝達する伝達部材を備え、
前記伝達部材および前記ストッパ部材は各々、前記ロック部材と干渉する位置に向けて付勢されていることを特徴とする請求項１乃至１１の何れか一項に記載の蓋ロック装置。
【請求項１３】
前記被係合部は前記蓋側に設けられているとともに、前記ロック部材、前記駆動部、前記検出スイッチ、前記ストッパ部材、及び前記伝達部材は前記機器本体側に設けられ、
前記蓋が開状態から閉状態に移行する際、前記伝達部材は前記蓋によって押されて移動し、前記ストッパ部材の前記干渉部を、前記ロック部材の前記被干渉部に対する当該ロック部材の前進方向前側の位置から退避させることを特徴とする請求項１２に記載の蓋ロック装置。
【手続補正２】
【補正対象書類名】明細書
【補正対象項目名】０００７
【補正方法】変更
【補正の内容】
【０００７】
上記課題を解決するために、本発明は、機器本体の開口部を開閉する蓋が設けられた機器における前記機器本体および前記蓋の一方側に設けられたロック部材を備え、当該ロック部材は前記機器本体および前記蓋の他方側に設けられた被係合部に係合して前記蓋を閉状態にロックする蓋ロック装置であって、前記ロック部材を前記被係合部に係合する位置まで前進させるとともに、前記ロック部材を前記被係合部との係合が解除される位置まで後退させる駆動部と、前記ロック部材の前記被係合部に対する係合が完了した際にロック完了信号を発生可能な状態となる検出スイッチと、前記蓋が開状態にある間、前記ロック部材に形成した被干渉部に対して当該ロック部材の前進方向前側に位置する干渉部を備えたストッパ部材と、を有し、当該ストッパ部材は、前記蓋が開状態から閉状態に移行する際、前記被係合部と前記ロック部材とが係合可能な位置に到達するまでは前記被干渉部の前記前進方向前側に前記干渉部が位置する前進阻止位置にあって、前記被係合部と前記ロック部材とが係合可能な位置に到達したときに前記他方側によって直接あるいは間接的に押圧されて前記干渉部が前記被干渉部の前記前進方向前側から退避した前進許容位置に変位することを特徴とする。
【手続補正３】
【補正対象書類名】明細書
【補正対象項目名】００１４
【補正方法】変更
【補正の内容】
【００１４】
本発明において、前記駆動部は、モータ部と、該モータ部によって回転される歯車列と、該歯車列を介して回転駆動される回転部材と、該回転部材において当該回転部材の回転中心からずれた位置に設けられたクランクピンと、該クランクピンが係合するクランク溝を備え、前記回転部材の回転を前記ロック部材が進退動作を行うための往復運動に変換するスライダと、を備え、前記スライダは、前記ロック部材の一部として前記ロック部材と一体に形成されており、前記ロック部材は、前記スライダを介して前記クランクピンにより直接進退動作される構成を採用することができる。
この場合、前記ロック部材、前記駆動部、前記検出スイッチ、及び前記ストッパ部材は、ケース内に収納されており、前記スライダによって前記検出スイッチが動作される構成を採用することができる。
また、前記ストッパ部材と前記ロック部材との間には、前記ロック部材の進退方向に沿って前記被干渉部と前記干渉部とによる干渉個所が複数設けられ、前記複数の干渉個所には、前記蓋が開状態から閉状態に移行する際、前記他方側と干渉しない位置に前記ロック部材を停止させておく第１干渉個所と、前記第１干渉個所による前記ロック部材の停止位置と前記スライダによって前記検出スイッチが動作される位置との間に前記ロック部材を停止させる第２干渉個所と、が含まれている構成を採用することができる。
本発明において、前記他方側と前記ストッパ部材との間に介在して、前記蓋が開状態から閉状態に移行する際、前記他方側による押圧を前記ストッパ部材に伝達する伝達部材を備え、前記伝達部材および前記ストッパ部材は各々、前記ロック部材と干渉する位置に向けて付勢されていることが好ましい。かかる構成によれば、伝達部材によってもロック部材の不用意な前進を阻止することができる。
この場合、前記被係合部は前記蓋側に設けられているとともに、前記ロック部材、前記駆動部、前記検出スイッチ、前記ストッパ部材、及び前記伝達部材は前記機器本体側に設けられ、前記蓋が開状態から閉状態に移行する際、前記伝達部材は前記蓋によって押されて移動し、前記ストッパ部材の前記干渉部を、前記ロック部材の前記被干渉部に対する当該ロック部材の前進方向前側の位置から退避させる構成を採用することができる。
【手続補正４】
【補正対象書類名】明細書
【補正対象項目名】００３２
【補正方法】変更
【補正の内容】
【００３２】
また、ケース１０の下面には検出スイッチ６０の端子６５、６６が設けられ、かかる端子６５、６６は、金属片を折り曲げて形成された可動片６３および固定片６４の端部からなる。ここで、可動片６３の先端に設けられた突起部６３ａは、スライダ５３が位置する側に向いており、スライダ５３が前進したときに突起部６３ａと当接するように突出した当接部５３ａが形成されている。従って、スライダ５３が＋Ｚ方向に前進して、ロック部材８が蓋２３０の被係合部２３６内に嵌って係合すると、当接部５３ａは、突起部６３ａを押圧して可動片６３と固定片６４とを接触させる。このため、機器本体２１０の側において、端子６５、６６がオープン状態であれば、蓋２３０のロックが行なわれていない状態と認識することができ、端子６５、６６がショート状態であれば、それを蓋２３０がロックされた状態と認識することができ、ロック完了信号を発生させることができる。従って、機器本体２１０では、ロック完了信号に基づいて蓋２３０のロックを確認し、かかるロック完了信号が発生してからドラムなどの回転を開始する。